【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
中間転写体の画像形成面に、インクに含まれる成分を凝集させる処理液を付与する工程と、
該処理液が付与された画像形成面にインクを付与して中間画像を形成する工程と、
該画像形成面から該中間画像を記録媒体に転写する工程と、
該中間画像が転写された後の画像形成面に水性洗浄液を付与する工程と、
を有する転写型画像記録方法において、
前記処理液が、非イオン性界面活性剤を含み、
前記処理液を付与する工程における、前記画像形成面に付与された処理液の温度（Ｔ１）と該処理液の曇点（Ｔｃ１）が以下の式（１）：
Ｔ１＜Ｔｃ１・・・（１）
を満たし、
前記水性洗浄液を付与する工程における、前記画像形成面に形成された前記処理液の残部と前記水性洗浄液との混合液の温度（Ｔ２）と該混合液の曇点（Ｔｃ２）が以下の式（２）：
Ｔ２＞Ｔｃ２・・・（２）
を満たす
ことを特徴とする転写型画像記録方法。
【請求項２】
前記画像形成面の温度制御により前記式（１）及び前記式（２）を満たす温度条件を形成することを特徴とする請求項１に記載の転写型画像記録方法。
【請求項３】
前記水性洗浄液の温度（Ｔ３）と前記処理液の曇点（Ｔｃ１）が以下の式（３）：
Ｔ３＞Ｔｃ１・・・（３）
を満たすことを特徴とする請求項１または２に記載の転写型画像記録方法。
【請求項４】
前記画像形成面の温度制御により前記式（３）を満たす温度条件を形成することを特徴とする請求項３に記載の転写型画像記録方法。
【請求項５】
前記温度制御が冷却または加熱を含むことを特徴とする請求項２または４に記載の転写型画像記録方法。
【請求項６】
前記Ｔ２と前記Ｔｃ２が、Ｔ２−Ｔｃ２≧１０℃の関係を満たすことを特徴とする請求項１乃至５のいずれか一項に記載の転写型画像記録方法。
【請求項７】
Ｔ１＜Ｔ２であることを特徴とする請求項１乃至６のいずれか一項に記載の転写型画像記録方法。
【請求項８】
Ｔ２＞Ｔｃ１であることを特徴とする請求項１乃至７のいずれか一項に記載の転写型画像記録方法。
【請求項９】
Ｔ１は５０℃以上７０℃以下であることを特徴とする請求項１乃至８のいずれか一項に記載の転写型画像記録方法。
【請求項１０】
前記処理液及び前記インクの少なくとも一方がインクジェット法により前記画像形成面に付与されることを特徴とする請求項１乃至９のいずれか一項に記載の転写型画像記録方法。
【請求項１１】
前記画像形成面に水性洗浄液を付与する工程後に、該画像形成面から該処理液の残部と該水性洗浄液との混合液を除去する工程を有することを特徴とする請求項１乃至１０のいずれか一項に記載の転写型画像記録方法。
【請求項１２】
前記中間画像を形成する工程と前記混合液を除去する工程との間に、前記式（２）を満たすように前記画像形成面を加熱する工程を有することを特徴とする請求項１１に記載の転写型画像記録方法。
【請求項１３】
前記処理液を付与する工程と、前記中間画像を形成する工程と、前記中間画像を記録媒体に転写する工程と、前記洗浄液を付与する工程と、前記混合液を除去する工程と、を繰り返し行うことを特徴とする請求項１１または１２に記載の転写型画像記録方法。
【請求項１４】
前記混合液を除去する工程と前記処理液を付与する工程との間に、前記式（１）を満たすように前記画像形成面を冷却する工程を有することを特徴とする請求項１３に記載の転写型画像記録方法。
【手続補正２】
【補正対象書類名】明細書
【補正対象項目名】００１２
【補正方法】変更
【補正の内容】
【００１２】
図２は、本実施形態における制御系のブロック図を示している。
各デバイスの駆動制御信号を送出する制御部２０１はＣＰＵ２０１ａ、ＲＯＭ２０１ｂ、ＲＡＭ２０１ｃ、カウンタ２０１ｄより構成されている。
ＣＰＵ２０１ａは中央演算処理装置であり、ＲＯＭ２０１ｂ等からプログラムや各種データを読み出し、必要な演算や判断を行い、各種制御を行うものである。ＲＯＭ２１ｂは読み出し専用のメモリであり、ＣＰＵ２０１ａが動作するための各種プログラムや文字コード、ドットパターン記録等に必要な各種データを格納している。ＲＡＭ２０１ｃはリードライトメモリであり、ＣＰＵ２０１ａが命令中のデータや演算結果を一時貯えておくワーキングエリア、或いは外部機器２０２等から入力された各種データを格納しておくバッファエリア等からなっている。これらの制御部へは制御インタフェース２０３を介して外部機器２０２から画像信号、中間転写体検知センサ２０４から中間転写体検出信号を入力する。
制御部２０１ではプログラムに基づいて、以下の処理が行われる。
（ａ）中間転写体の回転移動の為に円筒状中間転写体２０５に対して、回転駆動用モータ２０６を駆動する為のモータドライバ２０７に駆動信号を出力する。
（ｂ）ローラ式処理液塗工装置１２において、処理液を中間転写体１１上に塗工する為の処理液塗工ローラ２０８に対して、塗工用モータ２０９を駆動する為のモータドライバ２１０に駆動信号を出力する。
（ｃ）記録ヘッド１４においてインクを吐出する為のインクジェットデバイス２１１を駆動する為のヘッドドライバ２１２に駆動信号を出力する。
（ｄ）ローラ式転写装置１５において、転写ローラ２１３に対して回転のためのモータ２１４を駆動する為のモータドライバ２１５に駆動信号を出力する。
（ｅ）クリーニング装置１７において、中間転写体上に水性洗浄液を付与するデバイス２１６を駆動する為の制御ドライバ２１７に駆動信号を出力する。
（ｆ）排液としての水性洗浄液と処理液の混合液を除去する為のクリーニング処理デバイス２１８を駆動する為の制御ドライバ２１９に駆動信号を出力する。
（ｇ）中間転写体１１の加熱に際して、加熱装置１８としてのデバイス２２０を駆動する為の制御ドライバ２２１に駆動信号を出力する。
（ｈ）中間転写体１１の冷却に際して、冷却装置１９としての冷却デバイス２２２を駆動する為の制御ドライバ２２３に駆動信号を出力する。
【手続補正３】
【補正対象書類名】明細書
【補正対象項目名】００１６
【補正方法】変更
【補正の内容】
【００１６】
（処理液）
処理液は、水、インク高粘度化成分及び非イオン性の界面活性を含有する。インクの高粘度化には、インク中の色材や樹脂等がインク高粘度化成分との接触により化学的に反応し、あるいは物理的に吸着し、これによってインク全体の粘度上昇が認められる場合のみならず、色材などの成分の一部が凝集する事により局所的に粘度上昇を生じる場合も含まれる。
粘度上昇することで中間転写体上の所望の位置にインクを留め、高精細な画像を形成することができる。インク高粘度化成分としては、金属イオン、高分子凝集剤等、目的とするインク高粘度化による凝集効果が得られるものを選択して用いることができる。中でも特に多価の金属イオンおよびインクのｐＨ変化を引き起こして凝集させる物質としての有機酸が好適である。また複数の種類のインク高粘度化成分を含有させることも好適である。
有機酸の例としては、しゅう酸、ポリアクリル酸、ギ酸、酢酸、プロピオン酸、グリコール酸、マロン酸、リンゴ酸、マレイン酸、アスコルビン酸、レブリン酸、コハク酸、グルタル酸、グルタミン酸、フマル酸、クエン酸、酒石酸、乳酸、ピロリドンカルボン酸、ピロンカルボン酸、ピロールカルボン酸、フランカルボン酸、ピリジンカルボン酸、クマリン酸、チオフェンカルボン酸、ニコチン酸、オキシコハク酸、ジオキシコハク酸等が挙げられる。
本発明において、処理液は、非イオン性の界面活性剤を含有することに基づく曇点（Ｔｃ１）を有する。曇点は、その温度以上になると液体と溶質が相分離し、界面活性能が低下する温度である。従って、曇点（Ｔｃ１）よりも低い温度条件において処理液を中間転写体に付与すると、溶解状態にある非イオン性の界面活性剤の界面活性作用による、中間転写体の画像形成面の処理液に対する高い濡れ性を得ることができ、処理液の塗工膜を効果的に形成することができる。この曇点効果を用いることから、処理液は非イオン性の界面活性剤を添加する必要がある。良好な中間画像の形成のための処理液の均一塗工という観点から、処理液に対する高い濡れ性を中間転写体の画像形成面に付与するには、例えば、フッ素系の非イオン性界面活性剤がより好ましい。
フッ素系の非イオン性界面活性剤としては、デュポン（株）製のＣＡＰＳＴＯＮＥ（キャップストーン、登録商標）ＦＳ−３０、ＦＳ−３１、ＦＳ−３１００、ＦＳ−３４、ＦＳ−３５、ＦＳ−６０、ＦＳ−６１、ＦＳ−６３、ＦＳ−６４、またＦＳ−３００、ＦＳＮ、ＦＳＮ−１００、ＦＳＯ、ＦＳＯ−１００、や大日本インキ社製のメガファックス１４４Ｄ、同Ｆ４４４、同ＴＦ２０６６、旭硝子社製のサーフロンＳ−１４１、同１４５、同２４１、ネオス社製のフタージェント２５１などが挙げられる。
曇点以上の温度になると、液体と溶質が相分離して不透明になる為、本発明では、曇点とは、測定用セル中に密封された状態の処理液の透過率が５０％以下になる際の温度とした。曇点に対しては溶液に添加されている界面活性剤の種類が支配的であるが、例えば、処理液の曇点（Ｔｃ１）を、非イオン性の界面活性剤としてＦ４４４を用いた場合には８０℃に、ＴＦ２０６６を用いた場合には５０℃に調整することができる。
非イオン性界面活性剤の処理液中での含有量は、曇点効果について支配的である非イオン性界面活性剤の種類に応じて曇点効果が得られるように設定すればよい。インクの高粘度化と、処理液の良好な塗工性等の観点から、フッ素系の非イオン性界面活性剤を用いた場合の処理液におけるインク高粘度化成分、フッ素系の非イオン性界面活性剤、水の割合は、インク高粘度化成分３０〜５０質量部、フッ素系の非イオン性界面活性剤１〜１０質量部、水４０〜６９質量部（合計１００質量部）であることが好ましい。